(57)【要約】【課題】濡れた髪を素早く乾かすことができるヘアブラシを提供する。【解決手段】ヘアブラシ１０は、第１挟み部１２と第２挟み部１４とで濡れた髪Ｈを挟むように構成されている。ヘアブラシ１０は、第１挟み部１２を有する第１部分１６と、第２挟み部１４を有する第２部分１８と、第１挟み部１２と第２挟み部１４とが近づいたり離れたりできるように、第１部分１６と第２部分１８とを連結する連結部２０とを備えている。また、ヘアブラシ１０は、第１挟み部１２および第２挟み部１４の両方に設けられ、髪Ｈに付着した水分を吸収する吸水部２２，２６と、第１挟み部１２および第２挟み部１４の少なくとも一方に設けられ、髪Ｈをとかす複数のクシ歯２４，２８とを備えている。【選択図】図１
2018161457.tif 000002
【特許請求の範囲】
【請求項１】
第１挟み部と第２挟み部とで髪を挟むように構成されたヘアブラシであって、
前記第１挟み部を有する第１部分と、
前記第２挟み部を有する第２部分と、
前記第１挟み部と前記第２挟み部とが近づいたり離れたりできるように、前記第１部分と前記第２部分とを連結する連結部と、
前記第１挟み部および前記第２挟み部の両方に設けられ、水分を吸収する吸水部と、
前記第１挟み部および前記第２挟み部の少なくとも一方に設けられ、前記髪をとかす複数のクシ歯とを備える、ヘアブラシ。
【請求項２】
前記第１挟み部と前記第２挟み部とが近づいたとき、前記第１挟み部および前記第２挟み部の一方に設けられた前記複数のクシ歯のそれぞれの先端部が、前記第１挟み部および前記第２挟み部の他方に設けられた前記吸水部に接触する、請求項１に記載のヘアブラシ。
【請求項３】
前記吸水部は、前記吸水部の表面に露出して前記髪に接触する接触部を有しており、
前記接触部は、高吸水性の繊維素材で形成されている、請求項１または２に記載のヘアブラシ。
【請求項４】
前記吸水部は、前記接触部で吸収した水分を貯める貯水部を有している、請求項３に記載のヘアブラシ。
【請求項５】
前記吸水部の表面には、複数の突部が設けられている、請求項１ないし４のいずれか１項に記載のヘアブラシ。
【請求項６】
前記複数のクシ歯は、前記第１挟み部および前記第２挟み部の両方に設けられており、
前記第１挟み部に設けられた前記複数のクシ歯と前記第２挟み部に設けられた前記複数のクシ歯とは、前記第１挟み部と前記第２挟み部とが近づいたときに互いにぶつからないように、互いにずらして配置されている、請求項１ないし５のいずれか１項に記載のヘアブラシ。
【発明の詳細な説明】
【技術分野】
【０００１】  本発明は、濡れた髪をとかしながら乾かすことができるヘアブラシに関する。
【背景技術】
【０００２】  従来のヘアブラシの一例が特許文献１に記載されている。このヘアブラシは、ブラシ本体を備えている。ブラシ本体には複数のクシ歯が形成されており、クシ歯の間には、濡れた髪の水分を吸収することができる吸収体が設けられている。
【先行技術文献】
【特許文献】
【０００３】
【特許文献１】特開平１１−２８１１９号公報
【発明の概要】
【発明が解決しようとする課題】
【０００４】  しかしながら、特許文献１のヘアブラシでは、ブラシ本体の髪に接触する部分が一つだけであり、その部分に設けることができる吸収体の量が少なかった。そのため、髪に付着した水分を吸収体で十分に吸収することができず、濡れた髪を素早く乾かすことができなかった。【０００５】  本発明は、この問題を解決するためになされたものであり、濡れた髪を素早く乾かすことができるヘアブラシを提供することを目的とする。
【課題を解決するための手段】
【０００６】  本発明のヘアブラシの特徴は、第１挟み部と第２挟み部とで髪を挟むように構成されたヘアブラシであって、第１挟み部を有する第１部分と、第２挟み部を有する第２部分と、第１挟み部と第２挟み部とが近づいたり離れたりできるように、第１部分と第２部分とを連結する連結部と、第１挟み部および第２挟み部の両方に設けられ、水分を吸収する吸水部と、第１挟み部および第２挟み部の少なくとも一方に設けられ、髪をとかす複数のクシ歯とを備えることにある。【０００７】  第１挟み部と第２挟み部とで濡れた髪を挟むと、第１挟み部および第２挟み部のそれぞれに設けられた吸水部が濡れた髪に接触する。したがって、髪に付着した水分を各吸水部で十分に吸収することが可能であり、濡れた髪を素早く乾かすことができる。また、複数のクシ歯で髪をとかすときには、髪に付着した水分を複数のクシ歯で押して集めることが可能であり、集められた水分を各吸水部で効率よく吸収することができる。【０００８】  本発明のヘアブラシの他の特徴は、第１挟み部と第２挟み部とが近づいたとき、第１挟み部および第２挟み部の一方に設けられた複数のクシ歯のそれぞれの先端部が、第１挟み部および第２挟み部の他方に設けられた吸水部に接触することにある。【０００９】  この構成では、複数のクシ歯のそれぞれの先端部が吸水部に接触するので、複数のクシ歯で集められた水分を吸水部に効率よく与えることが可能であり、濡れた髪を素早く乾かすことができる。【００１０】  本発明のヘアブラシの他の特徴は、吸水部は、吸水部の表面に露出して髪に接触する接触部を有しており、接触部は、高吸水性の繊維素材で形成されていることにある。【００１１】  この構成では、髪に付着した水分を高吸水性の繊維素材で効率よく吸収することができる。【００１２】  本発明のヘアブラシの他の特徴は、吸水部は、接触部で吸収した水分を貯める貯水部を有していることにある。【００１３】  この構成では、接触部で吸収した水分が第１挟み部および第２挟み部から垂れることを防止できる。【００１４】  本発明のヘアブラシの他の特徴は、吸水部の表面には、複数の突部が設けられていることにある。【００１５】  この構成では、複数の突部によって吸水部の表面積が広くなっているので、濡れた髪の水分を吸水部の表面から吸収し易い。【００１６】  本発明のヘアブラシの他の特徴は、複数のクシ歯は、第１挟み部および第２挟み部の両方に設けられており、第１挟み部に設けられた複数のクシ歯と第２挟み部に設けられた複数のクシ歯とは、第１挟み部と第２挟み部とが近づいたときに互いにぶつからないように、互いにずらして配置されていることにある。【００１７】  この構成では、第１挟み部および第２挟み部のそれぞれに設けられた複数のクシ歯によって、髪に付着した水分を効率よく集めることができるので、濡れた髪を素早く乾かすことができる。
【図面の簡単な説明】
【００１８】
【図１】本発明の一実施形態に係るヘアブラシの使用状態を示す正面図である。
【図２】図２（Ａ）は、ヘアブラシの構成を示す正面図であり、図２（Ｂ）は、ヘアブラシの構成を示す底面図であり、図２（Ｃ）は、ヘアブラシの構成を示す平面図である。
【図３】図３（Ａ）は、ヘアブラシの構成を示す左側面図であり、図３（Ｂ）は、ヘアブラシの構成を示す右側面図である。
【図４】図４（Ａ）は、第１部分、第１吸水部および複数の第１クシ歯の構成を示す平面図であり、図４（Ｂ）は、第２部分、第２吸水部および複数の第２クシ歯の構成を示す底面図であり、図４（Ｃ）は、第１吸水部および複数の第１クシ歯と第２吸水部および複数の第２クシ歯との位置関係を模式的に示す図である。
【図５】図５（Ａ）は、図４（Ａ）におけるＶＡ−ＶＡ線断面図であり、図５（Ｂ）は、図４（Ａ）におけるＶＢ−ＶＢ線断面図である。
【図６】第１吸水部の全体が接触部で構成された実施形態を示す断面図である。
【発明を実施するための形態】
【００１９】  以下には、本発明の実施形態に係るヘアブラシについて説明する。
【００２０】  図１は、本発明の一実施形態に係るヘアブラシ１０の使用状態を示す正面図である。図１に示すように、ヘアブラシ１０は、濡れた髪Ｈを乾かすときに、使用者が手で持って使用するものであり、第１挟み部１２と第２挟み部１４とで髪Ｈを挟むように構成されている。
【００２１】  図１に示すように、ヘアブラシ１０は、第１挟み部１２を有する第１部分１６と、第２挟み部１４を有する第２部分１８と、第１部分１６と第２部分１８とを連結する連結部２０とを備えている。また、ヘアブラシ１０は、第１挟み部１２に設けられた第１吸水部２２および複数の第１クシ歯２４と、第２挟み部１４に設けられた第２吸水部２６および複数の第２クシ歯２８とを備えている。本実施形態では、複数の第１クシ歯２４が、第１クシ体３０として一体的に形成されており、複数の第２クシ歯２８が、第２クシ体３２として一体的に形成されている。
以下には、これらの各部分について詳細に説明する。
【００２２】  図２（Ａ）は、ヘアブラシ１０の構成を示す正面図であり、図２（Ｂ）は、ヘアブラシ１０の構成を示す底面図であり、図２（Ｃ）は、ヘアブラシ１０の構成を示す平面図である。図３（Ａ）は、ヘアブラシ１０の構成を示す左側面図であり、図３（Ｂ）は、ヘアブラシ１０の構成を示す右側面図である。図４（Ａ）は、第１部分１６、第１吸水部２２および複数の第１クシ歯２４の構成を示す平面図であり、図４（Ｂ）は、第２部分１８、第２吸水部２６および複数の第２クシ歯２８の構成を示す底面図であり、図４（Ｃ）は、第１吸水部２２および複数の第１クシ歯２４と第２吸水部２６および複数の第２クシ歯２８との位置関係を模式的に示す図である。図５（Ａ）は、図４（Ａ）におけるＶＡ−ＶＡ線断面図であり、図５（Ｂ）は、図４（Ａ）におけるＶＢ−ＶＢ線断面図である。
【００２３】  図２（Ａ），（Ｂ）に示すように、第１部分１６は、片手で持つことができる大きさで長細く形成された直方体状の本体１６ａを有している。図２（Ａ）に示すように、本体１６ａの一部には、上記の第１挟み部１２が設けられており、第１挟み部１２には、第１クシ体３０および第１吸水部２２のそれぞれの一部が嵌め込まれる凹部３４が形成されている。
【００２４】  図４（Ａ）に示すように、凹部３４は、平面図で見たときの形状が四角形となるように直方体状に形成されている。図５（Ａ）に示すように、凹部３４の深さは、第１クシ体３０の基板６４と、第１吸水部２２の貯水部５６とを収容できるように、これらを重ねたときの全体厚さよりも深くなるように定められている。
【００２５】  図２（Ｂ）に示すように、本体１６ａの長さ方向の一方端部には、連結部２０の一部となる２つの第１連結片３６が、幅方向に間隔を隔てて形成されている。２つの第１連結辺３６のそれぞれには、軸３８が通される穴４０が形成されている。また、本体１６ａにおける凹部３４（図２（Ａ））が設けられた面とは反対側の面には、滑り止めの役割を果たす複数の線状の突起４２が、互いに間隔を隔てて、幅方向に延びて形成されている。
【００２６】  図２（Ａ），（Ｃ）に示すように、第２部分１８は、片手で持つことができる大きさで長細く形成された直方体状の本体１８ａを有している。図２（Ａ）に示すように、本体１８ａの一部には、上記の第２挟み部１４が設けられており、第２挟み部１４には、第２クシ体３２および第２吸水部２６のそれぞれの一部が嵌め込まれる凹部４４が形成されている。
【００２７】  図４（Ｂ）に示すように、凹部４４は、底面図で見たときの形状が四角形となるように直方体状に形成されている。図２（Ａ）に示すように、凹部４４の深さは、第２クシ体３２の基板７６と、第２吸水部２６の貯水部７２とを収容するために、これらを重ねたときの全体厚さよりも深くなるように定められている。
【００２８】  図２（Ｃ）に示すように、本体１８ａの長さ方向の一方端部には、連結部２０の一部となる２つの第２連結片４６が、幅方向に間隔を隔てて形成されている。２つの第２連結片４６のそれぞれには、軸３８が通される穴４８が形成されている。また、本体１８ａにおける凹部４４（図２（Ａ））が設けられた面とは反対側の面には、滑り止めの役割を果たす複数の線状の突起５０が、互いに間隔を隔てて、幅方向に延びて形成されている。
【００２９】  図２（Ａ）に示す第１部分１６および第２部分１８の材料としては、成形が容易であり、かつ、軽量であることから、プラスチックが使用されている。ただし、プラスチックに代えて、木材および金属などが使用されてもよい。
【００３０】  図２（Ａ）に示すように、連結部２０は、第１挟み部１２と第２挟み部１４とが近づいたり離れたりできるように、第１部分１６と第２部分１８とを連結する部分である。図３（Ａ），（Ｂ）に示すように、連結部２０は、第１部分１６に設けられた２つの第１連結片３６と、第２部分１８に設けられた２つの第２連結片４６と、棒状の軸３８とを有している。２つの第１連結片３６のそれぞれは、２つの第２連結片４６のそれぞれの外側に配置されており、軸３８は、２つの第１連結片３６の２つの穴４０と２つの第２連結片４６の２つの穴４８とに通されている。
【００３１】  図２（Ａ）に示す第１吸水部２２は、髪Ｈ（図１）に付着した水分を吸収する部分であり、第１吸水部２２の表面に露出して髪Ｈ（図１）に接触する接触部５４と、接触部５４で吸収した水分を貯める貯水部５６とを有している。
【００３２】  図４（Ａ）に示すように、接触部５４は、平面図で見たときの形状が四角形となる板状の基部５４ａと、基部５４ａと一体的に形成され、第１吸水部２２の表面を構成する複数の突部５４ｂとを有している。接触部５４の全体は、高吸水性の繊維素材によって形成されている。複数の突部５４ｂは、第１挟み部１２の長さ方向および幅方向に並べて設けられており、複数の突部５４ｂのそれぞれの先端部は、半球状に形成されている。基部５４ａには、複数の第１クシ歯２４のそれぞれが通る複数の貫通穴６０が形成されている。
【００３３】  図４（Ｃ）に示すように、複数の貫通穴６０の位置、すなわち複数の第１クシ歯２４の位置は、第２吸水部２６の複数の突部７０ｂの頂点の位置に対応している。つまり、複数の第１クシ歯２４は、第１挟み部１２と第２挟み部１４とが近づいたときに、第２挟み部１４の複数の第２クシ歯２８とぶつからないように、複数の第２クシ歯２８からずらして配置されている。
【００３４】  図２（Ａ）に示すように、第１クシ歯２４の長さは、第１挟み部１２と第２挟み部１４とが近づいたときに、第１クシ歯２４の先端部が第２吸水部２６の対応する突部７０ｂに接触するように定められている。第１クシ歯２４の第１挟み部１２から突出した部分の長さは、突部５４ｂの第１挟み部１２から突出した部分の長さよりも長く定められている。
【００３５】  図４（Ａ）に示す接触部５４の材料となる高吸水性の繊維素材としては、吸水性が極めて高く、かつ、髪の滑りがよいことから、ナイロンおよびポリエステルなどからなる繊維径８μｍ以下のマイクロファイバー素材が使用されている。ただし、マイクロファイバー素材に代えて、タオル素材が使用されてもよい。
【００３６】  図５（Ａ），（Ｂ）に示す貯水部５６は、スポンジなどの高吸水性素材によって、平面図で見たときの形状が四角形となるように板状に形成されている。貯水部５６の上面は、接触部５４の下面に接触している。これにより、接触部５４で吸収した水分を貯水部５６で吸収することができる。
【００３７】  図５（Ａ），（Ｂ）に示すように、貯水部５６における接触部５４の複数の貫通穴６０に対応する部分には、複数の第１クシ歯２４が通る複数の貫通穴６２が形成されている。接触部５４の複数の貫通穴６０および貯水部５６の複数の貫通穴６２は、複数の第１クシ歯２４と隙間なく嵌まり合うように形成されている。したがって、接触部５４および貯水部５６の位置ずれは生じない。
【００３８】  図５（Ｂ）に示すように、第１クシ体３０は、基板６４と複数の第１クシ歯２４とを有している。基板６４は、平面図で見たときの形状が四角形となるように板状に形成されており、複数の第１クシ歯２４は、基板６４の一方面に垂直に形成されている。複数の第１クシ歯２４は、接触部５４の複数の貫通穴６０および貯水部５６の複数の貫通穴６２に対応するように設けられている。
【００３９】  図５（Ｂ）に示すように、基板６４と複数の第１クシ歯２４とは、プラスチックの射出成形によって一体的に形成されており、基板６４が第１部分１６に設けられた凹部３４の底面に接着されている。ただし、基板６４は、固定具や嵌合構造などの機械的な方法を用いて凹部３４の底面に接合されてもよい。
【００４０】  図２（Ａ）に示す第２吸水部２６は、髪Ｈ（図１）に付着した水分を吸収する部分であり、第１吸水部２２の接触部５４とほぼ同様に構成された接触部７０と、第１吸水部２２の貯水部５６とほぼ同様に構成された貯水部７２とを有している。
【００４１】  図４（Ｂ）に示すように、接触部７０は、平面図で見たときの形状が四角形となる板状の基部７０ａと、基部７０ａと一体的に形成され、第２吸水部２６の表面を構成する複数の突部７０ｂとを有している。接触部７０の全体は、高吸水性の繊維素材によって形成されている。複数の突部７０ｂは、第２挟み部１４の長さ方向および幅方向に並べて設けられており、複数の突部７０ｂのそれぞれの先端部は、半球状に形成されている。基部７０ａには、複数の第２クシ歯２８のそれぞれが通る複数の貫通穴７４が形成されている。
【００４２】  図２（Ａ）に示すように、第２クシ歯２８の長さは、第１挟み部１２と第２挟み部１４とが近づいたときに、第２クシ歯２８の先端部が第１吸水部２２の対応する突部５４ｂに接触するように定められている。第２クシ歯２８の第２挟み部１４から突出した部分の長さは、突部７０ｂの第２挟み部１４から突出した部分の長さよりも長く定められている。
【００４３】  図４（Ｃ）に示すように、複数の貫通穴７４の位置、すなわち複数の第２クシ歯２８の位置は、第１吸水部２２の複数の突部５４ｂの頂点の位置に対応している。つまり、複数の第２クシ歯２８は、第１挟み部１２と第２挟み部１４とが近づいたときに、第１挟み部１２の複数の第１クシ歯２４とぶつからないように、複数の第１クシ歯２４からずらして配置されている。
【００４４】  図２（Ａ）に示すように、第２クシ体３２は、基板７６と複数の第２クシ歯２８とを有している。基板７６は、底面図で見たときの形状が四角形となるように板状に形成されており、複数の第２クシ歯２８は、基板７６の一方面に垂直に形成されている。
【００４５】  図１に示すように、ヘアブラシ１０を使用するときには、第１挟み部１２と第２挟み部１４とで濡れた髪Ｈを挟み、髪Ｈをとかすように、ヘアブラシ１０を移動させる。すると髪Ｈに付着した水分が、複数の第１クシ歯２４および複数の第２クシ歯２８で押されて集められるとともに、図２（Ａ）に示す接触部５４，７０で吸収されて貯水部５６，７２に貯められる。貯水部５６，７２の貯水量が限界に達すると、凹部３４，４４から貯水部５６，７２を取り外して、これらに貯められた水分を絞り出す。
【００４６】  上記実施形態のヘアブラシ１０によれば、以下の効果を奏することができる。すなわち、図１に示す第１挟み部１２および第２挟み部１４のそれぞれに設けられた吸水部２２，２６で髪Ｈ（図１）に付着した水分を十分に吸収することができる。図２（Ａ）に示す接触部５４，７０は、高吸水性の繊維素材で形成されているので、髪Ｈに付着した水分を効率よく吸収することができる。図２（Ａ）に示す吸水部２２，２６の表面積が、複数の突部５４ｂ，７０ｂで広くなっているので、吸水部２２，２６の表面から水分を吸収し易い。
【００４７】  図２（Ａ）に示す複数のクシ歯２４，２８で髪Ｈ（図１）に付着した水分を押して集めることができる。第１挟み部１２と第２挟み部１４とが近づいたときには、複数のクシ歯２４，２８の先端部が、吸水部２６，２２に接触するので、複数のクシ歯２４，２８で集められた水分を吸水部２６，２２に効率よく与えることができる。
【００４８】  図２（Ａ）に示す貯水部５６，７２に接触部５４，７０で吸収した水分を貯めることができるので、第１挟み部１２および第２挟み部１４から水分が垂れることを防止できる。
【００４９】  図６は、第１吸水部２２の全体が接触部８０で構成された実施形態を示す断面図である。上記実施形態では、２つの吸水部２２，２６のそれぞれが接触部５４，７０と貯水部５６，７２とで構成されているが、２つの吸水部２２，２６の少なくとも一方は、高吸水性の繊維素材からなる接触部だけで構成されてもよい。例えば、図６に示すように、第１吸水部２２の全体が接触部８０で構成されてもよい。
【００５０】  また、上記実施形態では、図２（Ａ）に示す複数のクシ歯２４，２８が、第１挟み部１２および第２挟み部１４の両方に設けられているが、複数のクシ歯２４，２８は、第１挟み部１２および第２挟み部１４のいずれか一方にだけ設けられてもよい。
【００５１】  また、図２（Ａ）に示す連結部２０は、板ばね状の連結部に変更されてもよい。図２（Ａ）に示す突起４２，５０は、滑り止めの効果があればどんな形状でもよく、複数の点状の突起や複数の線状の溝などに変更されてもよい。
【符号の説明】
【００５２】Ｈ…髪、１０…ヘアブラシ、１２…第１挟み部、１４…第２挟み部、
１６…第１部分、１８…第２部分、２０…連結部、２２…第１吸水部、
２４…第１クシ歯、２６…第２吸水部、２８…第２クシ歯
【図１】
2018161457.tif 000003
【図２】
2018161457.tif 000004
【図３】
2018161457.tif 000005
【図４】
2018161457.tif 000006
【図５】
2018161457.tif 000007
【図６】
2018161457.tif 000008